(57)【特許請求の範囲】
【請求項１】
伸張布材構造体を作製するためのダブルレール（１）であって、
伸張布材を通すための長手方向の挿通開口（３）が設けられた周壁と、互いに向かって近づく２つの内部フランジ（４，５）と、内部壁（６）とを備える管状体を有し、前記内部フランジ（４，５）が、前記内部壁（６）と協働して、前記挿通開口（３）に向かって開いた空洞部（７）を画定する、ダブルレール（１）において、
当該ダブルレール（１）が、前記空洞部（７）に収容された照明手段（８）を含み、前記内部フランジ（４，５）のそれぞれが、伸張布材を掛け止めるための支持部をそれぞれ形成するように配置されていることを特徴とする、ダブルレール（１）。
【請求項２】
前記内部フランジ（４，５）は、前記管状体の前記挿通開口（３）と等しいか又は小さい開口幅を画定するように寸法が定められていることを特徴とする、請求項１に記載のダブルレール（１）。
【請求項３】
前記内部フランジ（４，５）のそれぞれが、前記周壁の隣接する部分に向かって互いに近づいていることを特徴とする、請求項１又は２に記載のダブルレール（１）。
【請求項４】
前記内部フランジのそれぞれが前記管状体（２）の前記周壁と協働して、伸張布材を受けるための溝（９）を画定するよう配置され、前記内部フランジのそれぞれが、前記伸張布材の銛状縁部を掛け止めるための肩部（１０）を含み、前記肩部（１０）が、対応する前記周壁に向かって延びていることを特徴とする、請求項１〜３のいずれか一項に記載のダブルレール（１）。
【請求項５】
前記内部フランジのそれぞれが、前記空洞部（７）に向かって延びるリム（８）を含む自由端を有することを特徴とする、請求項１〜４のいずれか一項に記載のダブルレール（１）。
【請求項６】
前記挿通開口（３）が、取外し可能な長手方向の拡散カバー（１１）によって閉じられることを特徴とする、請求項１〜５のいずれか一項に記載のダブルレール（１）。
【請求項７】
前記内部フランジのそれぞれが、前記空洞部（７）に向かって延びるリム（８）を含む自由端を有し、
前記拡散カバー（１１）が、前記内部フランジ（４，５）のそれぞれの前記リム（８）に留められることを特徴とする、請求項６に記載のダブルレール（１）。
【請求項８】
当該ダブルレール（１）は、断面が円形の管状体を有することを特徴とする、請求項１〜７のいずれか一項に記載のダブルレール（１）。
【請求項９】
当該ダブルレール（１）は、少なくとも１つの湾曲した部分を有することを特徴とする、請求項１〜８のいずれか一項に記載のダブルレール（１）。
【請求項１０】
少なくとも１枚の伸張布材が取り付けられた、請求項１〜９のいずれか一項に記載のダブルレール（１）を少なくとも１つ備える、三次元構造体。
【発明の詳細な説明】
【技術分野】
【０００１】
[0001]本発明は、伸張された布材（ｓｔｒｅｔｃｈｅｄ−ｆａｂｒｉｃ：以下「伸張布材」という）の分野に関する。
【０００２】
[0002]本発明は、より詳細には伸張布材構造体を作製するためのダブルレールに関する。
【０００３】
[0003]本発明は、三次元伸張布材構造体の作製が特に意図されているが、排他的に意図されているものではない。
【背景技術】
【０００４】
[0004]従来、ダブルレールは、伸張布材の両辺において伸張布材を保持する仕切り用の要素である。この種のレールは、疑似壁（疑似天井及び疑似壁面）を作製するためだけではなく、三次元構造体を作製するためにも使用される。したがって、このようなレールにより様々な形状を得ることが可能になり、その形状は、このようなレールの構成が三次元構造体の湾曲を可能にする場合、より一層多様になる。
【０００５】
[0005]しかし、ダブルレールには、いわゆる見えないレールであったとしても、布材がレールに取り付けられた場合に隣の布材との間に空間ができてしまうという欠点がある。影が生じることによって見えてしまうこの空間のせいで、出来上がった構造体の外観が不体裁なものになってしまう。
【０００６】
[0006]この欠点を克服する試みでは、仕上げカバーを追加することにより、この空間を封止することが知られている。そのようなカバーは、空間が依然として見えてしまうため、問題となっているレールの審美的な欠陥を完全に補うものではない。
【発明の概要】
【発明が解決しようとする課題】
【０００７】
[0007]本発明は、影ができることを制限するダブルレールを提供し、かつすべての形状の三次元構造体を作製するための湾曲操作を可能にすることにより、従来技術のダブルレールに生じる課題に対処することを目的としている。
【０００８】
[0008]本発明はまた、影ができること、又は影のゾーンを制限するまぶしくない照明付きレールを提供することを目的としている。
【０００９】
[0009]本発明はまた、満足のいく美的外観を提供する一方で伸張布材を容易に取り付けられるようにするレールを提供することを目的としている。
【課題を解決するための手段】
【００１０】
[0010]この目的で、第１の態様によれば、本発明は、伸張布材構造体を作製するためのダブルレールを提供するものであり、このダブルレールは、伸張布材を通すための長手方向の挿通開口を備えた管状体を有する。このレールは、管状体が、互いに向かって近づく２つの内部フランジであって、内部壁と協働して内部に照明手段を収容する空洞部を画定する２つの内部フランジを備え、空洞部が挿通開口に向かって開いていることを特徴とする。
【００１１】
[0011]このような構成により、本発明によるダブルレールによって、２枚の布材の間、又はレールのいずれかの側に固定された布材部分に影ができることを制限し、一方で湾曲操作を可能にすることができるようになる。この最後の点により、いかなる形状の、特に３Ｄの構造体も作製することが可能になる。
【００１２】
[0012]内部フランジは、管状体の挿通開口の幅と等しいか又は小さい開口幅を画定するように寸法が定められることが有効である。
【００１３】
[0013]各内部フランジは、隣接の周壁部分に向かって互いに近づくことが有効である。
【００１４】
[0014]各内部フランジは、伸張布材を掛け止めるための支持部をそれぞれ形成するように配置されることが有効である。
【００１５】
[0015]各内部フランジは、管状体の周壁と協働して、伸張布材を受けるための溝を画定するよう配置され、各内部フランジは、伸張布材の銛状縁部を掛け止めるための肩部を含み、肩部が対応する周壁に向かって延びることが有効である。
【００１６】
[0016]各内部フランジは、空洞部に向かって延びるリムを含む自由端を有することが有効である。
【００１７】
[0017]挿通開口は、取外し可能な長手方向の拡散カバーによって閉じられることが有効である。これにより、光の拡散度及び均質性を高めることも可能になる。
【００１８】
[0018]拡散カバーは、各内部フランジのリムに留められることが有効である。
【００１９】
[0019]ダブルレールは、断面が円形の管状体を有することが有効である。
【００２０】
[0020]ダブルレールは、少なくとも１つの湾曲した部分を有することが有効である。
【００２１】
[0021]本発明はまた、少なくとも１枚の伸張布材が固定される上述のような少なくとも１つのダブルレールを有する三次元構造体に関する。
【００２２】
[0022]本発明の他の目的及び利点は、添付の図面を参照しつつ以下の説明を読むことにより明らかになる。
【図面の簡単な説明】
【００２３】
【図１】拡散カバーが取り外された状態の、三次元伸張布材構造体を作製するための本発明によるダブルレールの断面図である。
【図２】拡散カバーがレールに取り付けられた状態の図１のダブルレールの図である。
【図３】２枚の伸張布材が固定された図１のダブルレールの断面図である。
【発明を実施するための形態】
【００２４】
[0023]図１及び図２は、三次元伸張布材構造体の作製を可能にする照明付きダブルレール１を開示している。
【００２５】
[0024]図示実施形態では、ダブルレール１は、中空の筒状体２を有し、この筒状体２は、１つの布材における又は２つの分離した布材における多くても２つの縁部を通すための長手方向の挿通開口３を備え、好ましくは、縁部には、銛状のフック手段が設けられている。挿通開口３は、前記筒状体２の全長にわたって延びていることが有効である。
【００２６】
[0025]筒状体２は２つの内部フランジ４，５を備え、これらの内部フランジは、互いに向かうよう収斂し、内部壁６を介して周壁２０に接続されている。内部フランジ４，５は、内部壁６と共に、挿通開口３に向かって開いている空洞部７を画している。図示されているように、空洞部７は、ＬＥＤ等の照明手段１８を収容することが意図されている。図示実施形態では、空洞部７は、内部フランジ４，５及び内部壁６のそれぞれによって保持された照明手段を備える。もちろん、本発明がこの構成に限定されるものではなく、照明手段１８がフランジのうちの１つ及び／又は内部壁６のみに配置される可能性もあることは明らかであろう。
【００２７】
[0026]内部フランジ４，５は、開口の幅が筒状体２の挿通開口３の幅よりもわずかに小さくなるように、寸法が定められることが有効である。この構成の利点は、拡散カバーが設置された場合にそのようなカバーを保持する力を強め、影ができることを確実に制限できることである。
【００２８】
[0027]図示実施形態では、内部フランジ４，５のそれぞれは、リム８が形成された自由端を有し、リム８は、空洞部７に向かって延び、好ましくは対応するフランジに対して垂直である。以下に説明するように、内部フランジ４，５のそれぞれのリム８は、拡散カバーを掛け止める手段を形成するように構成されている。
【００２９】
[0028]各内部フランジは筒状体２の周壁と協働して、布材を受ける溝９を画定するよう配置されている。受け用の溝９に布材を確実に掛け止めるために、各内部フランジは、空洞部７を画定する面とは反対側の面に肩部１０を有し、肩部１０は周壁に向かって延びている。各肩部１０は、伸張布材の銛状縁部を掛け止めることができるように配置されている。図示実施形態では、肩部１０は、対応する内部フランジの自由端で支持されている。より詳細には、肩部１０は、フランジのリム８とは反対側の方向で、リム８の延長上に形成されている。
【００３０】
[0029]図示実施形態では、内部壁６は、筒状体２を通って延びている。即ち、内部壁６は、寸法が実質的に等しい２つの部分に周壁２０を分割するように、周壁２０の全長にわたって延びている。したがって、内部壁６は中央壁を形成している。内部壁６は、挿通開口３に面するように筒状体２の内側に配置されている。
【００３１】
[0030]好ましくは、内部壁６には、（図のレールの位置に対して）上部に、レール１７が設けられ、そのレールは、該レールに別のレールを組み付けるための手段を受けるように意図されている。レールの強度を高めるために、周壁２０とレール１７とをつなぐ２つの仕切り部１９が設けられている。
【００３２】
[0031]図示された特定の構成によれば、ダブルレール１は、挿通開口３を全体的又は部分的に閉じるのに適した取り外し可能な長手方向の拡散カバー１１を備える。半透明の拡散カバー１１を用いて挿通開口３を閉じることにより、光の拡散度及び均質性を高めることができる。拡散カバー１１は半透明であることが有効である。
【００３３】
[0032]図示実施形態では、拡散カバー１１は、断面が長方形の管状体を有する。より詳細には、拡散カバー１１は、２つの閉鎖壁１２，１４を備え、これらの閉鎖壁は互いに対向して延び、２つの側壁１３，１５により相互に接続されている。拡散カバー１１は、２つの締結ラグ１６をさらに備え、これらの締結ラグは、封止壁１２，１４とは反対側の方向に延びて、対応する側壁１３，１５の継続部分をなしている。図から理解されるように、締結ラグ１６は、内部フランジ４，５のリム８と協働することが意図されている。
【００３４】
[0033]したがって、締結ラグ１６を有する閉鎖壁１２は、内部フランジ４，５のリム８に拡散カバー１１の締結ラグ１６を確実に保持する強化壁を形成している。掛止め用のラグ１６から遠い側の閉鎖壁１４は、拡散カバー１１がダブルレールに取り付けられた場合にダブルレール１が継ぎ目のない管状体になるように、円形であることが有効である。
【００３５】
[0034]拡散カバー１１は、挿通開口３に拡散カバー１１を挿入することができるように、形状及び寸法が挿通開口３の形状及び寸法と合致することをよく理解されたい。また、拡散カバー１１は、図２に示されるように、外側面がダブルレール１の筒状体２の外側面と面一になるような寸法であることが有効である。
【００３６】
[0035]拡散カバー１１の光拡散機能に加えて、拡散カバー１１によってもダブルレール１への布材の保持が改善される。実際、図３に示されるように、布材３０，３１が、拡散カバー１１と、挿通開口３を画定する周壁２０の縁部との間で部分的にクランプされる。
【００３７】
[0036]上述の実施形態では、ダブルレール１は、断面がＣ字状（即ち開口が設けられた場合は円形）である。もちろん、本発明によるレールがこの形状に限定されるものではなく、本発明の範囲内で他の形状の断面を有し得ることは明らかである。
【００３８】
[0037]本発明を１つの例として上で説明した。本発明の範囲から逸脱することなく、本発明の様々な実施形態を当業者ならば生み出すことができることは理解されよう。
【図１】
0006696087.tif 000002
【図２】
0006696087.tif 000003
【図３】
0006696087.tif 000004